(57)【要約】【課題】パイプ切断のための構成及び工程を省略する。【解決手段】パイプ（Ｗ）を切断するためのパイプ切断装置は、サポートローラー（９１）及びカッター刃（８１）をそれぞれ切断対象パイプ（Ｗ）の径方向に前後進させる制御機構を備え、制御機構は、第三部材（６）が軸方向の一方向に進むにつれて第一部材（４）を中心軸（Ｐ）に向かって前進させる第一カム機構と、サポートローラー（９１）が切断対象パイプ（Ｗ）の表面に接触する接触位置に達するまで、第三部材（６）が軸方向の一方向に進むにつれて第二部材（５）を中心軸（Ｐ）に向かって前進させ、サポートローラー（９１）が接触位置に達した後は、第三部材（６）が軸方向の一方向に進んでも、第二部材（５）を中心軸（Ｐ）に向かって前進させず、サポートローラー（９１）を接触位置で保持する第二カム機構と、を備える。【選択図】図３
2018144196.tif 000002
【特許請求の範囲】
【請求項１】
パイプを切断するためのパイプ切断装置であって、
パイプを収容する収容空間を有し、前記収容空間に収容する切断対象パイプの中心軸周りで回転可能なカッターヘッドと、
同一円周上に配置されて、前記カッターヘッドの回転に伴い、前記切断対象パイプまわりを公転する少なくとも一つのサポートローラー及びカッター刃と、
前記サポートローラー及びカッター刃をそれぞれ前記切断対象パイプの径方向に前後進させる制御機構と、を備え、
前記制御機構は、
前記カッター刃が取り付けられ、前記径方向に前後進可能な第一部材と、
前記サポートローラーが取り付けられ、前記径方向に前後進可能な第二部材と、
前記切断対象パイプの軸方向に前後進可能で、前記第一部材及び第二部材に連結される第三部材と、
前記第三部材が前記軸方向の一方向に進むにつれて前記第一部材を前記中心軸に向かって前進させる第一カム機構と、
前記サポートローラーが前記切断対象パイプの表面に接触する接触位置に達するまで、前記第三部材が前記軸方向の一方向に進むにつれて前記第二部材を前記中心軸に向かって前進させ、前記サポートローラーが前記接触位置に達した後は、前記第三部材が前記軸方向の一方向に進んでも、前記第二部材を前記中心軸に向かって前進させず、前記サポートローラーを前記接触位置で保持する第二カム機構と、を備え、
前記第三部材は、前記カッターヘッドの回転中において、前記軸方向の一方向に進行可能であり、
前記制御機構は、前記サポートローラーを前記カッター刃よりも先に前記切断対象パイプに接触させるパイプ切断装置。
【請求項２】
前記第一カム機構において、前記第一部材側及び前記第三部材側の少なくともいずれか一方の連結部が前記径方向に対して傾斜した傾斜面であり、当該傾斜面に沿って、前記第三部材が前記軸方向の一方向に進むにつれて前記第一部材が前記中心軸に向かって前進し、
前記第二カム機構において、前記第二部材側及び前記第三部材側の少なくともいずれか一方の連結部が前記径方向に対して傾斜した傾斜面を有し、且つ、前記第二部材側及び前記第三部材側の少なくともいずれか一方の連結部は、前記サポートローラーの前記接触位置に対応する位置において前記軸方向に切り欠かれており、前記サポートローラーが前記接触位置に達するまで、当該傾斜面に沿って、前記第三部材が前記軸方向の一方向に進むにつれて前記第二部材が前記中心軸に向かって前進し、前記サポートローラーが前記接触位置に達した後は、前記第三部材が前記軸方向の一方向に進んでも、前記第二部材が前記中心軸に向かって前進せず、前記サポートローラーが前記接触位置で保持される請求項１に記載のパイプ切断装置。
【請求項３】
前記第二部材に取り付ける前記サポートローラーは、複数種のサポートローラーに取替可能で、且つ、前記第二部材における前記サポートローラーの取付位置を調節可能である請求項１又は２に記載のパイプ切断装置。
【発明の詳細な説明】
【技術分野】
【０００１】
本発明は、パイプを切断するためのパイプ切断装置に関する。
【背景技術】
【０００２】
特許文献１（特許第４８３２４２４号公報）には、パイプを収容する収容空間を有し、収容空間に収容する切断対象パイプの中心軸周りで回転可能なカッターヘッドと、同一円周上に配置されて、カッターヘッドの回転に伴い、前記切断対象パイプまわりを公転する少なくとも一つのサポートローラー及びカッター刃と、サポートローラー及びカッター刃をそれぞれ切断対象パイプの径方向に前後進させる制御機構と、を備えたパイプ切断装置が開示されている。
【０００３】
この特許文献１に記載のパイプ切断装置は、カッターヘッドの回転前にサポートローラーをパイプ表面に接触させる状態とし、その後にカッターヘッドを回転させながらカッター刃をパイプ径方向に前進させてパイプの切断を行う。このパイプ切断装置によれば、サポートローラーを予めパイプ表面に接触させてからパイプの切断を行うから、切断部分がきれいに仕上がる。
【先行技術文献】
【特許文献】
【０００４】
【特許文献１】特許第４８３２４２４号公報
【発明の概要】
【発明が解決しようとする課題】
【０００５】
しかし、特許文献１に記載のパイプ切断装置は、カッター刃をパイプ径方向に前進させてパイプを切断する機構とは別に、サポートローラーをパイプ表面に接触した状態で保持するための機構を要している。そして、特許文献１に記載の構成は極めて複雑であり、そのために、カッターヘッドの回転前にサポートローラーをパイプ表面に接触させることしかできない。
【０００６】
これに対し、カッター刃をパイプ径方向に前進させてパイプを切断する機構と、サポートローラーをパイプ表面に接触した状態で保持するための機構と、を共通のものとできれば、装置全体の構造を簡素なものにできる。そして、この場合、サポートローラーをパイプ表面に接触させる工程を、カッター刃をパイプ径方向に前進させてパイプを切断する工程に含めることができるから、カッターヘッドの回転前にサポートローラーをパイプ表面に接触させる工程を省くことが可能になる。
【０００７】
そこで、パイプ切断のための構成及び工程を省略できるパイプ切断装置の実現が望まれる。
【課題を解決するための手段】
【０００８】
本発明に係るパイプ切断装置は、
パイプを収容する収容空間を有し、前記収容空間に収容する切断対象パイプの中心軸周りで回転可能なカッターヘッドと、
同一円周上に配置されて、前記カッターヘッドの回転に伴い、前記切断対象パイプまわりを公転する少なくとも一つのサポートローラー及びカッター刃と、
前記サポートローラー及びカッター刃をそれぞれ前記切断対象パイプの径方向に前後進させる制御機構と、を備え、
前記制御機構は、
前記カッター刃が取り付けられ、前記径方向に前後進可能な第一部材と、
前記サポートローラーが取り付けられ、前記径方向に前後進可能な第二部材と、
前記切断対象パイプの軸方向に前後進可能で、前記第一部材及び第二部材に連結される第三部材と、
前記第三部材が前記軸方向の一方向に進むにつれて前記第一部材を前記中心軸に向かって前進させる第一カム機構と、
前記サポートローラーが前記切断対象パイプの表面に接触する接触位置に達するまで、前記第三部材が前記軸方向の一方向に進むにつれて前記第二部材を前記中心軸に向かって前進させ、前記サポートローラーが前記接触位置に達した後は、前記第三部材が前記軸方向の一方向に進んでも、前記第二部材を前記中心軸に向かって前進させず、前記サポートローラーを前記接触位置で保持する第二カム機構と、を備え、
前記第三部材は、前記カッターヘッドの回転中において、前記軸方向の一方向に進行可能であり、
前記制御機構は、前記サポートローラーを前記カッター刃よりも先に前記切断対象パイプに接触させる。
【０００９】
この構成によれば、第一〜第三部材、並びに、第一および第二カム機構を有する単一の制御機構が、カッター刃をパイプ径方向に前進させてパイプを切断する機構と、サポートローラーをパイプ表面に接触した状態で保持するための機構とを兼ねており、また、これにより、第三部材を軸方向の一方向に進行させるという単一の動作で、サポートローラーをカッター刃よりも先に切断対象パイプに接触させ、その状態を保持する工程と、カッター刃を切断対象パイプに接触させてパイプを切断する工程と、の両工程を行うことができる。このように、本構成によれば、パイプ切断のための装置構成及び工程を省略することができる。
【００１０】
一つの態様として、前記第一カム機構において、前記第一部材側及び前記第三部材側の少なくともいずれか一方の連結部が前記径方向に対して傾斜した傾斜面であり、当該傾斜面に沿って、前記第三部材が前記軸方向の一方向に進むにつれて前記第一部材が前記中心軸に向かって前進し、前記第二カム機構において、前記第二部材側及び前記第三部材側の少なくともいずれか一方の連結部が前記径方向に対して傾斜した傾斜面を有し、且つ、前記第二部材側及び前記第三部材側の少なくともいずれか一方の連結部は、前記サポートローラーの前記接触位置に対応する位置において前記軸方向に切り欠かれており、前記サポートローラーが前記接触位置に達するまで、当該傾斜面に沿って、前記第三部材が前記軸方向の一方向に進むにつれて前記第二部材が前記中心軸に向かって前進し、前記サポートローラーが前記接触位置に達した後は、前記第三部材が前記軸方向の一方向に進んでも、前記第二部材が前記中心軸に向かって前進せず、前記サポートローラーが前記接触位置で保持されると好適である。
【００１１】
この構成によれば、第一および第二カム機構を傾斜面によって軸方向の運動を径方向の運動に変換するという簡素な構成にし、且つ、サポートローラーをパイプ表面に接触した状態で保持するのを、単に連結部を所定位置において切り欠くという簡素な構成にしてあるので、全体の装置構成を簡素なものにすることができる。
【００１２】
一つの態様として、前記第二部材に取り付ける前記サポートローラーは、複数種のサポートローラーに取替可能で、且つ、前記第二部材における前記サポートローラーの取付位置を調節可能であると好適である。
【００１３】
この構成によれば、切断対象とするパイプの径が異なる場合でも、これに適したサポートローラーに取り替え、その取付位置を調節することで、サポートローラーを予めパイプ表面に接触させることができる。
【図面の簡単な説明】
【００１４】
【図１】本実施形態におけるパイプ切断装置の側面断面図
【図２】本実施形態におけるパイプ切断装置の前面図
【図３】本実施形態におけるパイプ切断装置において、サポートローラーが切断対象パイプの表面に接触した状態の側面断面図
【図４】本実施形態におけるパイプ切断装置において、カッター刃が切断対象パイプを切断している状態の側面断面図
【発明を実施するための形態】
【００１５】
本発明に係るパイプ切断装置の実施形態について、図面を参照して説明する。図１は本実施形態に係るパイプ切断装置１を示し、パイプ切断装置１は、主として、カッターヘッド１と、カッターヘッド１を回転させるスピンドル２と、切断対象パイプＷを支持するための軸受ユニット３と、サポートローラー９１及びカッター刃８１をそれぞれ切断対象パイプＷの径方向Ｒに前後進させる制御機構として機能するカッタースライド（第一部材に相当）４、ローラースライド（第二部材に相当）５、スライドアジャスター（第三部材に相当）６、及び、スライドアジャスター６に連結されたスリーブ７と、カッター刃８１を収容し、カッタースライド４に取り付けられるカッター保持部８と、サポートローラー９１を収容し、ローラースライド５に取り付けられるローラー保持部９と、を備える。そして、サポートローラー９１及びカッター刃８１は、同一円周上に配置されて、カッターヘッド１の回転に伴い、切断対象パイプＷまわりを公転するようになっており、後述するように、切断対象パイプＷまわりを公転した状態で、サポートローラー９１及びカッター刃８１が切断対象パイプＷの中心軸Ｐに向かって前進していき、カッター刃８１が切断対象パイプＷに接触することで、切断対象パイプＷの切断が行われる。以下、各部の構成について詳細に説明する。
【００１６】
カッターヘッド１は、パイプを収容する収容空間Ｓを有し、スピンドル２の回転に伴い収容空間Ｓに収容する切断対象パイプＷの中心軸Ｐ周りで回転可能になっている。また、略箱型で、前面（カッター刃８１がある側の面）側に、パイプを挿通するためのパイプ挿通孔１１、カッタースライド４を嵌めこんで収容するためのカッタースライド収容口１２、ローラースライド５を嵌めこんで収容するためのローラースライド収容口１３を有している。なお、カッタースライド収容口１２及びローラースライド収容口１３は、それぞれカッタースライド４及びローラースライド５が径方向Ｒに前後進可能なだけの開口面積を有している。
【００１７】
スピンドル２は図示しないモーター等の駆動部に接続され、駆動部の駆動により中心軸Ｐ周りで回転するようになっており、連結されたカッターヘッド１を回転させるようになっている。
【００１８】
軸受ユニット３は、カッターヘッド１のパイプ挿通口１１部分に設けられ、カッターヘッド１が回転している間に、切断対象パイプＷを非回転状態で支持するものである。
【００１９】
カッタースライド４及びローラースライド５は、カッターヘッド１の前面側に設けられたカッタースライド収容口１２及びローラースライド収容口１３にそれぞれ嵌め込まれ、連結バネ４１，５１を介してカッターヘッド１に連結されている。このように、カッタースライド４及びローラースライド５がカッターヘッド１に嵌め込まれた状態となっているため、カッターヘッド１の回転に伴いカッタースライド４及びローラースライド５が切断対象パイプＷまわりを公転するようになっている。また、連結バネ４１，５１によりカッタースライド４及びローラースライド５は径方向Ｒに沿って中心軸Ｐとは反対側に付勢されている。そして、カッタースライド４及びローラースライド５の前面には、それぞれカッター保持部８及びローラー保持部９を介してそれぞれカッター刃８１及びサポートローラー９１が取り付けられ、また、カッタースライド４及びローラースライド５の後部には、スライドアジャスター６の係合部６１と係合する被係合部４２，５２を有している。そして、カッタースライド４及びローラースライド５は、径方向Ｒに前後進可能になっている。具体的には、後述するように、それぞれ第一カム機構及び第二カム機構を介して、スライドアジャスター６及びスリーブ７が軸方向Ａの一方向に移動するにつれて、カッタースライド４及びローラースライド５がそれぞれ中心軸Ｐに向かって前進するようになっている。
【００２０】
スライドアジャスター６は、スリーブ７の外周面の一部に設けられた環状の部材であり、スリーブ７が軸方向Ａに前後進するに伴い、カッターヘッド１とは独立に、軸方向Ａに前後進するようになっており、また、スリーブ７が中心軸Ｐ周りで回転するに伴い、中心軸Ｐ周りで回転するようになっている。そして、スライドアジャスター６は、その前面側に、被係合部４２，５２に対応する位置において断面視鍵爪状の係合部（第三部材側の連結部に相当）６１を有し、カッタースライド４及びローラースライド５のそれぞれの被係合部（カッタースライド４の被係合部が第一部材側の連結部に相当し、ローラースライド５の被係合部が第二部材側の連結部に相当する）４２，５２と係合している。なお、係合部６１は被係合部４２，５２と同期して回転するようになっており、カッターヘッド１の回転中も被係合部４２，５２と係合部６１との係合状態は維持される。
【００２１】
詳しくは後述するが、係合部６１と被係合部４２とからなる連結機構が、スライドアジャスター６が軸方向Ａの一方向に進むにつれてカッタースライド４を中心軸に向かって前進させる第一カム機構を構成し、係合部６１と被係合部５２とからなる連結機構が、サポートローラー９１が切断対象パイプＷの表面に接触する接触位置に達するまで、スライドアジャスター６が軸方向Ａの一方向に進むにつれてローラースライド５を中心軸に向かって前進させ、サポートローラー９１が接触位置に達した後は、スライドアジャスター６が軸方向Ａの一方向に進んでも、ローラースライド５を中心軸Ｐに向かって前進させず、サポートローラー９１を接触位置で保持する第二カム機構を構成する。
【００２２】
スリーブ７は、筒状の部材であり、前端側（カッター刃８１がある側）の外周面の一部にスライドアジャスター６が改装されている。そして、スリーブ７の後端側が図示しない駆動部に連結され、スリーブ７は、カッターヘッド１とは独立に軸方向Ａに前後進可能で、且つ、中心軸Ｐ周りで回転可能になっている。なお、スリーブ７はカッターヘッド１とは独立した部材であり、カッターヘッド１の回転中において、軸方向Ａの一方向に進行可能になっている。
【００２３】
カッター保持部８及びローラー保持部９は、カッタースライド４及びローラースライド５の前面に、径方向Ｒに位置調節可能に連結されており、これにより、カッタースライド４及びローラースライド５に対するカッター刃８１及びサポートローラー９１の取付位置を調節可能になっている。径方向Ｒに位置調節可能にする構成は特に限定されないが、例えば、本実施形態では、カッター保持部８及びローラー保持部９が図示しない径方向Ｒに延びるレールに沿って径方向Ｒに移動可能になっており、留めネジ８２，９２の締め位置により径方向Ｒの位置を調節できるようになっている。また、カッター刃８１及びサポートローラー９１は、カッター留めネジ８３及びローラー留めネジ９３により回転可能でカッター保持部８及びローラー保持部９に取り付けられている。また、カッター刃８１及びサポートローラー９１はそれぞれ着脱可能で、これにより、切断対象パイプＷの径や肉厚等に合わせて複数種のカッター又はサポートローラーに取替可能になっている。
【００２４】
次に、第一カム機構及び第二カム機構について説明する。第一カム機構は、具体的には、本実施形態では、第一カム機構において、係合部６１と被係合部４２とがそれぞれ径方向Ｒに対して同角度で傾斜し、互いに対向する傾斜面６１Ａ，４２Ａを有し、傾斜面６１Ａ，４２Ａどうしが互いに当接することで係合部６１と被係合部４２とが係合している。より詳しくは、傾斜面６１Ａ，４２Ａ（及び後述する傾斜面５２Ａ）は、後端側に向かうにつれて径方向Ｒに遠ざかる向きに傾斜している。そして、当該傾斜面６１Ａ，４２Ａに沿って、スライドアジャスター６が軸方向Ａの一方向に進むにつれて、スライドアジャスター６の軸方向Ａ移動がカッタースライド４の径方向Ｒ移動に変換されて、カッタースライド４が中心軸Ｐに向かって前進するようになっている。つまり、スライドアジャスター６が軸方向Ａの一方向（図１，３，４中の右側）に移動するにつれて、カッタースライド４が中心軸Ｐに向かって前進して、カッター刃８１を切断対象パイプＷに接触させることができる。
【００２５】
第二カム機構は、具体的には、本実施形態では、第二カム機構において、係合部６１と、被係合部５２の前面側とがそれぞれ径方向Ｒに対して同角度で傾斜し、互いに対向する傾斜面６１Ａ，５２Ａを有し、傾斜面６１Ａ，５２Ａどうしが互いに当接することで係合部６１と被係合部５２とが係合している。また、被係合部５２の後面側は、サポートローラー９１が切断対象パイプＷの表面に接触する接触位置に対応する位置５２Ｃにおいて軸方向Ａに切り欠かれた水平な切欠面５２Ｂになっている。このような構成を有することにより、第二カム機構は、サポートローラー９１が接触位置に達するまで、当該傾斜面６１Ａ，５２Ａに沿って、スライドアジャスター６が軸方向Ａの一方向に進むにつれて、スライドアジャスター６の軸方向Ａ移動がローラースライド５の径方向Ｒ移動に変換されて、ローラースライド５が中心軸Ｐに向かって前進するようになっている。つまり、スライドアジャスター６が軸方向Ａの一方向に移動するにつれて、ローラースライド５が中心軸Ｐに向かって前進して、サポートローラー９１を切断対象パイプＷに接触させることができる。そして、サポートローラー９１が接触位置に達した後は、傾斜面６１Ａの先端６１Ｂと水平な切欠面５２Ｂとが当接する状態となり、これにより、スライドアジャスター６が軸方向Ａの一方向に進んでも、ローラースライド５を中心軸Ｐに向かって前進させず、サポートローラー９１を接触位置で保持するようになっている。
【００２６】
また、本実施形態では、カッター刃８１やサポートローラー９１の大きさ、取付位置、第一および第二カム機構における傾斜面６１Ａ，４２Ａ，５２Ａの角度や位置等の構成により、サポートローラー９１がカッター刃８１よりも先に切断対象パイプＷに接触するようになっている。
【００２７】
最後に、パイプ切断装置１によるパイプ切断工程を説明する。まず、カッターヘッド１に切断対象パイプＷを挿通し、軸受ユニット３により切断対象パイプＷを支持する（図１の状態）。次に、駆動部を駆動させて各部材の回転を開始させ、その後少し遅れてスリーブ７及びスライドアジャスター６を軸方向Ａの一方向に移動させる。そして、スリーブ７及びスライドアジャスター６の移動に伴い、カッタースライド４及びローラースライド５を中心軸Ｐに向かって前進させる。その後、サポートローラー９１が接触位置に達すると（図３の状態）、スリーブ７及びスライドアジャスター６の移動に伴い、カッター刃８１のみが中心軸Ｐに向かって前進するようになる。なお、サポートローラー９１が接触位置に達したとき、カッター刃８１は切断対象パイプＷには接触していない（図３参照）。そして、やがてカッター刃８１が切断対象パイプＷの表面に接触し、徐々に径方向Ｒに前進することで、切断対象パイプＷが切断されていく。
【００２８】
このように、カッタースライド４、ローラースライド５、スライドアジャスター６、及び、スリーブ７から構成される単一の制御機構が、カッター刃８１をパイプ径方向Ｒに前進させてパイプＷを切断する機構と、サポートローラー９１をパイプ表面に接触した状態で保持する機構とを兼ねている。そして、これにより、スライドアジャスター６を軸方向Ａの一方向に進行させるという単一の動作で、サポートローラー９１をカッター刃８１よりも先に切断対象パイプＷに接触させ、その状態を保持する工程と、カッター刃８１を切断対象パイプＷに接触させてパイプＷを切断する工程と、の両工程を行うことができる。このように、本実施形態に係るパイプ切断装置によれば、パイプ切断のための装置構成及び工程を省略できる。
【００２９】
また、本実施形態に係るパイプ切断装置では、第一および第二カム機構を傾斜面６１Ａ，４２Ａ，５２Ａによって軸方向Ａの運動を径方向Ｒの運動に変換するという簡素な構成にし、且つ、サポートローラー９１をパイプ表面に接触した状態で保持するのを、単に被係合部５２を所定位置において切り欠くという簡素な構成にしてあるので、全体の装置構成を簡素なものにしてある。
【００３０】
そして、カッタースライド４及びローラースライド５では、カッター刃８１やサポートローラー９１を切断対象パイプＷの径や肉厚等に合わせて複数種のカッター又はサポートローラーに取替可能になっているので、切断対象とするパイプの径が異なる場合でも、これに適したカッター刃８１及びサポートローラー９１に取り替え、その取付位置を調節することで、サポートローラー９１を予めパイプ表面に接触させるようにすることが可能になっている。
【００３１】
〔その他の実施形態〕
最後に、本発明に係るパイプ切断装置のその他の実施形態について説明する。なお、以下のそれぞれの実施形態で開示される構成は、矛盾が生じない限り、他の実施形態で開示される構成と組み合わせて適用することも可能である。
【００３２】
（１）本発明の実施形態の第一及び第二カム機構は、上述の実施形態で示した第一及び第二カム機構に限定されず、例えば、係合部６１と被係合部４２又は被係合部５２とのいずれか一方のみが径方向Ｒに対して傾斜した傾斜面を有するようにしてもよく、また、スライドアジャスター６側の係合部が、サポートローラー９１が切断対象パイプＷの表面に接触する接触位置に対応する位置において軸方向Ａに切り欠かれた水平な切欠面になっていてもよい。その他、傾斜面６１Ａ，４２Ａ，５２Ａを後端側に向かうにつれて径方向Ｒに近づく向きに傾斜するようにし、カッタースライド４及びローラースライド５とスライドアジャスター６とは互いに係合することなく、傾斜面４２Ａ，５２Ａに対して後方側から傾斜面６１Ａが当接する形態でカッタースライド４及びローラースライド５とスライドアジャスター６とが連結するようにしてもよい。その他、第一カム機構がスライドアジャスター６が軸方向Ａの一方向に進むにつれてカッタースライド４を中心軸に向かって前進させるもので、第二カム機構が、サポートローラー９１が切断対象パイプＷの表面に接触する接触位置に達するまで、スライドアジャスター６が軸方向Ａの一方向に進むにつれてローラースライド５を中心軸に向かって前進させ、サポートローラー９１が接触位置に達した後は、スライドアジャスター６が軸方向Ａの一方向に進んでも、ローラースライド５を中心軸Ｐに向かって前進させず、サポートローラー９１を接触位置で保持するものであれば、適宜変更可能である。
【００３３】
（２）上述の実施形態では、カッター刃８１及びサポートローラー９１がそれぞれ１つの構成を例に説明した。しかし、本発明の実施形態はこれに限定されず、カッター刃８１及びサポートローラー９１の双方又はいずれか一方は２以上であってもよい。この場合、カッタースライド４及びカッター保持部８又はローラースライド５及びローラー保持部９は、カッター刃８１又はサポートローラー９１の数に対応する数だけ設ければよい。
【００３４】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３５】
本発明は、例えばパイプの切断に利用することができる。
【符号の説明】
【００３６】
１            カッターヘッド
４            カッタースライド（第一部材）
４２          被係合部（第一部材側の連結部）
４２Ａ        傾斜面
５            ローラースライド（第二部材）
５２          被係合部（第二部材側の連結部）
５２Ａ        傾斜面
５２Ｃ        サポートローラーの接触位置に対応する位置
６            スライドアジャスター（第三部材）
６１          係合部（第三部材側の連結部）
６１Ａ        傾斜面
８１          カッター刃
９１          サポートローラー
Ｗ            切断対象パイプ
Ｓ            収容空間
Ｐ            中心軸
Ｒ            径方向
Ａ            軸方向
【図１】
2018144196.tif 000003
【図２】
2018144196.tif 000004
【図３】
2018144196.tif 000005
【図４】
2018144196.tif 000006